(57)【要約】  中央水平アクスル機構および筐体を含むスタンドを含む梁端部構成要素溶接治具が開示される。ハンドルが前記アクスル機構の第１端に取り付けられ、回転可能なプレート構造が前記アクスル機構の第２端に取り付けられる。柱連結シミュレータが前記プレート構造に取り付けられ、梁端部構成要素を支持するように構成される。【選択図】図１
2021512795.tif 000002
【特許請求の範囲】
【請求項１】
中央水平アクスル機構および筐体を含むスタンドと、
前記アクスル機構の第１端に取り付けられたハンドルと、
前記アクスル機構の第２端に取り付けられた回転可能なプレート構造と、
前記プレート構造に取り付けられ、梁端部構成要素を支持するように構成された柱連結シミュレータと、
を備える、梁端部構成要素溶接治具。
【請求項２】
前記プレート構造および前記ハンドルは、前記筐体の対向する両側に配置される、請求項１に記載の梁端部構成要素溶接治具。
【請求項３】
前記ハンドルは、スポーク構造を介して前記アクスル機構に連結されたホイールを含む、請求項１に記載の梁端部構成要素溶接治具。
【請求項４】
前記梁端部構成要素は、カラーフランジアセンブリであり、前記柱連結シミュレータは、１対のカラーコーナーシミュレータを含む、請求項１に記載の梁端部構成要素溶接治具。
【請求項５】
前記シミュレータの少なくとも１つは、穴と、前記シミュレータからカラーフランジアセンブリが偶発的に外れるのを防止するために前記穴に係合する着脱可能な停止部材とを有する、請求項４に記載の梁端部構成要素溶接治具。
【請求項６】
前記停止部材が前記穴に係合されていないときに、前記プレート構造は、回転することが防止される、請求項５に記載の梁端部構成要素溶接治具。
【請求項７】
前記梁端部構成要素溶接治具は、予備ロック装置をさらに備え、前記予備ロック装置は、予備ロック装置がロック解除されるまで、前記プレート構造の回転、および前記穴からの前記停止部材の取り外しを防止する、請求項６に記載の梁端部構成要素溶接治具。
【請求項８】
前記梁端部構成要素溶接治具は、前記１対のカラーコーナーシミュレータの１つに取り付けられた安全ラッチ機構をさらに含み、前記安全ラッチ機構は、前記筐体のラッチ板と係合して前記アクスル機構の回転を防止するように構成される、請求項４に記載の梁端部構成要素溶接治具。
【請求項９】
前記安全ラッチ機構は、前記安全ラッチ機構を前記ラッチ板から係合解除して、前記アクスル機構の回転を可能にするように構成されたキーであって、前記キーが前記安全ラッチ機構と係合されているときに、前記シミュレータからのカラーフランジアセンブリの取り外しを防止するストッパとして働くように構成されたキーを含む、請求項８に記載の梁端部構成要素溶接治具。
【請求項１０】
前記プレート構造は、前記１対のカラーコーナーシミュレータを前記プレート構造に締結するために、円形開口および細長いスロットのアレイを含む、請求項４に記載の梁端部構成要素溶接治具。
【請求項１１】
各円形開口は、ボルトを受容するように構成されたねじ付き開口であり、各細長い開口は、カラーコーナーシミュレータのピンを受容するように構成されたスロットである、請求項１０に記載の梁端部構成要素溶接治具。
【請求項１２】
各カラーコーナーシミュレータは、カラーフランジアセンブリの正確な垂直位置を設定するために、下端部から外向きに延びる停止部材を含む、請求項４に記載の梁端部構成要素溶接治具。
【請求項１３】
前記停止部材は、前記カラーフランジアセンブリの正確な水平位置を設定するためのガイドショルダ面を含む、請求項１２に記載の梁端部構成要素溶接治具。
【請求項１４】
溶接手順中に前記アクスル機構から離れた接地を提供するために、前記筐体の第１および第２対向面からアクセス可能な接地導体をさらに含む、請求項１に記載の梁端部構成要素溶接治具。
【請求項１５】
前記アクスル機構は、前記プレート構造の限定された水平方向の変位を可能にし、前記プレート構造を静止位置に戻すためにばね付勢される、請求項１に記載の梁端部構成要素溶接治具。
【請求項１６】
トラックを含むベースと、
前記トラックに摺動可能に取り付けられた第１および第２カラーフランジアセンブリ溶接治具と、
を備え、
各溶接治具は、
中央水平アクスル機構および筐体を含むスタンドと、
前記アクスル機構の第１端に取り付けられたハンドルと、
前記アクスル機構の第２端に取り付けられた回転可能なプレート構造と、
前記プレート構造に取り付けられ、カラーフランジアセンブリを支持するように構成された１対のカラーコーナーシミュレータと、
を含む、カラーフランジアセンブリ溶接システム。
【請求項１７】
前記溶接治具の少なくとも１つは、前記第１溶接治具と第２溶接治具の間の距離を測定するように構成されたレーザ測距ツールを含む、請求項１６に記載のカラーフランジアセンブリ溶接システム。
【請求項１８】
前記ハンドルは、前記筐体の高さに少なくとも略等しい直径を有する円形把持構造を含む、請求項１６に記載のカラーフランジアセンブリ溶接システム。
【請求項１９】
第１溶接治具をトラックに沿って第２溶接治具から選択された距離に配置するステップと、
回転可能なプレート構造を前記第１溶接治具の水平アクスル機構の第１端に取り付けるステップと、
柱連結シミュレータを前記回転可能なプレート構造に配置するステップと、
梁端部構成要素を前記シミュレータに係合するステップと、
梁の一端が前記梁端部構成要素に隣接するように、梁を前記第１溶接治具と第２溶接治具の間に支持させるステップと、
前記梁端部構成要素および梁を、前記第１および第２溶接治具の各々における前記水平アクスル機構の第２端に取り付けられたハンドルにより回転させるステップと、
前記梁端部構成要素を前記梁の端部に溶接するステップと、
を含む、梁端部構成要素を梁の端部に溶接する方法。
【請求項２０】
前記梁端部構成要素は、カラーフランジアセンブリであり、前記柱連結シミュレータは、１対のカラーコーナーシミュレータを含む、請求項１９に記載の方法。
【請求項２１】
前記１対のカラーコーナーシミュレータを配置するステップは、
前記シミュレータにあるピンを前記プレート構造にある楕円形の穴であって、前記プレート構造の長軸に直交する長軸を有する穴に挿入することによって、各カラーコーナーシミュレータのＺ軸位置を設定すること、
ボルトを前記シミュレータの丸穴から前記プレート構造にある第１のねじ穴に締結することによって、各カラーコーナーシミュレータのＸ軸位置を設定すること、及び
ボルトを前記シミュレータの楕円形の穴であって、前記プレート構造の長軸と平行な長軸を有する穴から前記プレート構造にある第２のねじ穴に締結することによって、各カラーコーナーシミュレータのＹ軸位置を設定することを含む、請求項２０に記載の方法。
【発明の詳細な説明】
【技術分野】
【０００１】
関連出願の相互参照
本願は、米国特許法第１１９条（ｅ）項に基づき、２０１８年２月９日に出願された米国仮特許出願第６２／６２８８２３号および２０１８年２月９日に出願された米国仮特許出願第６２／６２８８０７号に対する優先権を主張し、それらの内容全体をあらゆる目的のために参照によって本書に援用する。米国特許第７９４１９８５Ｂ２号についても、その全体をあらゆる目的のために参照によって本書に援用する。
【背景技術】
【０００２】
フルモーメントカラービームマウント（ｆｕｌｌ  ｍｏｍｅｎｔ  ｃｏｌｌａｒ  ｂｅａｍ  ｍｏｕｎｔ）は、鉄骨建物建設のための現場溶接技術に比べて価値ある改善を提供する。溶接は制御された状態で現場外で行うことができ、連結されたビームマウントは、フレーム部材を建設現場で適切な空間的向きに固定する。
【０００３】
米国特許第７９４１９８５号明細書は、ハロー／スパイダー連結として記載された例示的フルモーメントカラービームマウントを開示している。カラーコーナーアセンブリ（ｃｏｌｌａｒ  ｃｏｒｎｅｒ  ａｓｓｅｍｂｌｙ）は柱の４つの角部の各々に溶接される。柱の各面において、ウェブインサートによって連結された上フランジおよび下フランジのフランジサブアセンブリは、隣接する角部のカラーコーナーアセンブリの間に形成されるテーパ状溝に受容される。梁と柱が連結される場所で、フランジサブアセンブリが梁の端部に溶接される。柱の全ての面にまたがる連結が一緒になってフルモーメントカラーを形成する。
【０００４】
ビーム連結は精密な躯体構築を可能にするが、精密な製造も要求される。躯体の長さに沿って、多くの梁と柱の連結が整列し、連結の許容差または不正確さは加算的にまたは相乗的に増大し得る。これは結果的に、仕様からの望ましくない全体的な逸脱をもたらす可能性がある。製造プロセスにおける梁連結構成要素の精密な位置決めおよび溶接を容易にする製造ツールおよび方法が必要である。
【０００５】
カラー製造プロセスの重要な部分は、カラーフランジアセンブリを梁の端部に溶接することである。アセンブリ及び梁は、溶接時に互いに対して正確な空間構成で、しっかりと支持され、作業員が溶接現場に安全かつ容易にアクセスできなければならない。
【０００６】
本開示は、梁端部構成要素溶接システム及び溶接治具に関するシステム、装置、及び方法を提供する。一部の例では、溶接治具は、中央水平アクスル機構および筐体を有するスタンドを備えることができる。ハンドルが、前記アクスル機構の第１端に取り付けられることができ、回転可能なプレート構造が、前記アクスル機構の第２端に取り付けられることができる。柱連結シミュレータが、前記プレート構造に取り付けられ、梁端部構成要素を支持するように構成されることができる。
【０００７】
一部の例では、溶接システムは、トラックを有するベースと、前記トラックに摺動可能に取り付けられた第１および第２カラーフランジアセンブリ溶接治具とを備えることができる。各溶接治具は、中央水平アクスル機構および筐体を有するスタンドを備えることができる。ハンドルが、前記アクスル機構の第１端に取り付けられることができ、回転可能なプレート構造が、前記アクスル機構の第２端に取り付けられることができる。１対のカラーコーナーシミュレータが、前記プレート構造に取り付けられ、カラーフランジアセンブリを支持するように構成されることができる。
【０００８】
一部の例では、梁端部構成要素を梁に溶接する方法は、第１溶接治具をトラックに沿って第２溶接治具から選択された距離に配置するステップを含むことができる。この方法は、回転可能なプレート構造を前記第１溶接治具の水平アクスル機構の第１端に取り付けるステップと、柱連結シミュレータを前記回転可能なプレート構造に配置するステップとをさらに含むことができる。この方法は、梁端部構成要素を前記柱連結シミュレータに係合するステップと、梁の一端が前記梁端部構成要素に隣接するように、梁を前記第１および第２溶接治具の間に支持させるステップとをさらに含むことができる。この方法は、前記梁端部構成要素および梁を、前記第１および第２溶接治具の各々における前記水平アクスル機構の第２端に取り付けられたハンドルにより回転させるステップと、前記梁端部構成要素を前記梁の端部に溶接するステップとをさらに含むことができる。
【０００９】
特徴、機能、および利点は本開示の様々な実施例で独立して達成されてよく、あるいはさらに他の実施例において組み合わされてもよく、それらについてのさらなる詳細は、以下の説明および図面を参照することにより理解することができる。
【図面の簡単な説明】
【００１０】
【図１】図１は、両端それぞれにカラーフランジアセンブリがクランプされた梁を含む、本開示の態様に係る例示的梁取付けステーションの等角図である。
【００１１】
【図２】図２は、カラーフランジアセンブリの１つが固定された図１の梁取付けステーションの回転体の等角図である。
【００１２】
【図３】図３は、図２の回転体の等角図である。
【００１３】
【図４】図４は、図２の回転体のフェースプレートの等角正面図である。
【００１４】
【図５】図５は、図２の回転体の支持アセンブリの等角正面図である。
【００１５】
【図６】図６は、図５の支持アセンブリのカラーコーナーシミュレータの上部セクションの等角図である。
【００１６】
【図７】図７は、主筐体の１つのパネルを省いた、図２の回転体のスタンドの等角図である。
【００１７】
【図８】図８は、図２の回転体の安全ラッチの等角背面図である。
【００１８】
【図９】図９は、主筐体の１つのパネルを省いた、別の例示的回転体の等角図である。
【００１９】
【図１０】図１０は、図９の回転体の背面平面である。
【００２０】
【図１１】図１１は、図９の回転体のアクスルアセンブリの線１１‐１１に沿った断面図である。
【００２１】
【図１２】図１２は、本教示に係る、カラーフランジアセンブリを梁に溶接するための例示的方法のステップを表すフローチャートである。
【発明を実施するための形態】
【００２２】
トラック及び溶接治具を含む梁端部構成要素溶接システムについて、様々な態様および実施例を以下で説明し、添付の図面に示す。特に明記しない限り、本教示に係る溶接システムおよび／またはその様々な構成要素は、本明細書に記載し、図示し、かつ／または援用する構造、構成要素、機能性、および／または変形例の少なくとも１つを含んでよいが、必須ではない。さらに、明確に排除されない限り、本教示に関連して本明細書に記載し、図示し、かつ／または援用するプロセスのステップ、構造、構成要素、機能性、および／または変形例は、開示する実施例の間で互換可能であることを含めて、他の類似の装置および方法に含まれてよい。様々な実施例の以下の説明は本質的に単なる例示であって、本開示、その適用、または使用を限定する意図は全くない。加えて、下述する実施例によって提供される利点は本質的に例示であって、全ての実施例が同じ利点または同程度の利点を提供するわけではない。
【００２３】
この発明を実施するための形態は、このすぐ後に続く以下のセクション、すなわち（１）概要、（２）実施例、構成要素、および代替物、（３）例示的な組合せおよび追加の実施例、（４）長所、特徴、および利点、ならびに（５）結論を含む。実施例、構成要素、および代替例のセクションは、さらにＡからＣまでのサブセクションに分割され、各サブセクションは適宜標記される。
【００２４】
概要
一般的に、本教示に係る梁端部構成要素溶接システムは、第１および第２溶接治具と、少なくとも１つの梁支持体とを含むことができる。溶接治具および梁支持体は、梁および構成要素を正確な空間関係に一時的にまたは永続的に一体に固定するために溶接または他の作業を実行しながら、梁端部連結構成要素および梁を正確な空間関係に協働して支持するように構成することができる。
【００２５】
各溶接治具は、梁端部連結構成部品を支持しかつ固定するように構成された支持構造を含むことができる。例えば、溶接治具はその一方または両方が、フルモーメントカラーにより梁に連結するように準備された柱の面をシミュレートするように構成された、カラーフランジアセンブリ支持構造を含むことができる。溶接治具はそれによって、カラーフランジアセンブリまたは他の連結構成要素を正確な位置および向きに支持することができる。溶接治具は、同一または異なる種類の梁コネクタを係合するように構成することができる。
【００２６】
各溶接治具は、筐体と水平アクスル機構とを有するスタンドを含むことができ、アクスル機構の第１端にハンドルが取り付けられる。支持構造はアクスル機構の第２端に取り付けることができる。支持構造はアクスル機構により回転することができ、それは次いで支持されたカラーフランジアセンブリおよび梁を回転させる。梁およびフランジアセンブリが回転することで、溶接または他のプロセスのために、連結構成要素および梁の異なる表面または部分にアクセスすることが可能になる。
【００２７】
溶接治具および梁支持体は、細長いベース上に取り付けることができる。溶接治具は、ベースのトラック上に摺動可能に取り付けることができ、かつトラックに沿って離散的または連続的な複数の位置に選択的に固定可能である。梁支持体は調整可能とすることができ、支持された梁の垂直方向の位置を溶接治具に対して調整することが可能であり、かつ／または異なる梁成の梁を溶接治具に対して適切な位置に支持することを可能にする。梁支持体はまた、梁を回転させるための隙間ができるように、取り外し可能、折畳み可能、または充分に小さい高さに調整可能とすることができる。
【００２８】
溶接システムは、２つの溶接治具の正確な間隔配置を容易にするように構成することができる。例えば溶接治具はその一方または両方がレーザ測距ツールを含む。別の実施例では、ベースは、選択された治具の間隔配置に対応するトラックに沿った離散的位置のガイドマークを含むことができる。
【００２９】
実施例、構成要素、および代替物
以下のセクションでは、例示的溶接システムの選択された態様のみならず、関連するシステムおよび／または方法についても説明する。これらのセクションにおける実施例は例示を目的とするものであって、本開示の範囲全体を限定するものと解釈すべきではない。各セクションには１つ以上の明確な実施例、および／または文脈情報もしくは関連情報、機能、および／または構造が含まれる場合がある。
【００３０】
Ａ．例示的梁取付けステーション
図１〜図８に示すように、本セクションでは、例示的カラーフランジアセンブリ梁取付けステーション２０について記載する。ステーション２０は、上述した梁端部構成要素溶接システムの一例である。
【００３１】
図１は、ステーション２０に搭載されようとしているＩ形梁２２を示す。カラーフランジアセンブリ２４は、梁取付けステーション上でクレーンによって支持されている梁２２の両端にクランプされている。ステーション２０は、ベース３０に摺動可能に取り付けられた２つの回転体１１０を含む。回転体の各々に近接して、調整可能な梁支持体４０がベースに取り付けられる。図示した実施例では、支持体はスクリュジャッキである。
【００３２】
回転体１１０は、ベース３０の１対のトラック３２に摺動可能に取り付けられる。回転体はその一方または両方を、回転体間の正確な間隔配置を達成するために、トラックに沿って調整することができる。間隔配置は、梁および連結されたカラーフランジアセンブリの所望の全長に対応することができる。トラック上における、かつ互いに対する回転体の正確な配置を可能にする特徴を、梁取付けステーションに含めることができる。例えば、ガイドマークをベースに含めることができ、かつ／またはレーザ測距装置を回転体に含めることができる。回転体は、トラックに沿って離散的または連続的な位置に選択的に固定可能とすることができる。例えば、ピンなどの１つ以上の締結具を使用して回転体をベースの開口に固定することができ、かつ／または回転体の締付けボルトをトラックに摩擦係合することができる。
【００３３】
梁２２を梁取付けステーションに搭載するために、各カラーフランジアセンブリ２４が回転体１１０によって受容され、かつ梁が調整可能な支持体４０に載置されるように、梁を下降させることができる。カラーフランジアセンブリ２４を梁に固定するクランプは取り外し、かつ／または緩めることができ、カラーフランジアセンブリに対する梁の垂直位置の調整が可能になる。調整可能な支持体４０は、梁の所望の垂直位置を達成するために使用することができる。
【００３４】
梁取付けステーションは、カラーフランジアセンブリが梁に接続されている間、梁２２およびカラーフランジアセンブリ２４を正確な空間関係に支持することができる。回転体は、溶接または他の連結プロセスのためにカラーフランジアセンブリおよび梁の異なる表面または部分にアクセスできるように梁を回転させながら、構成要素をこの正確な空間関係に維持することができる。
【００３５】
一般的には、各回転体は、梁に連結するように準備された柱の１つの面を模倣するように構成される。図２は、回転体１１０によって受容されたカラーフランジアセンブリ２４の１つを示す。カラーフランジアセンブリ２４は、スタンド１１２の前面に取り付けられたフランジ支持体１１６によって支持される。梁２２の隣接端部は調整可能な支持体４０によって支持される。カラーフランジアセンブリはフランジ支持体にボルト止めされており、アセンブリを任意の向きに固定する。任意の個数または種類の締結具を使用することができるが、図示した実施例では、カラーフランジアセンブリの４つの角部の各々に１つのボルトは、アセンブリを固定するのに充分である。
【００３６】
スタンド１１２の後側にある円形ハンドル１１４は、フランジ支持体１１６および固定されたカラーフランジアセンブリの手動回転を可能にする。ひとたびカラーフランジアセンブリ２４が梁２２に仮付け溶接されると、梁もまたハンドル１１４によって回転させることができる。ハンドル１１４は回転体１１０のどこにでも配置してよいが、ハンドルをスタンドの支持される梁とは反対側に配置することで、重い梁を回転させるときにユーザの安全性を向上することができる。
【００３７】
バーハンドル１７２はスタンド１１２の側面から突出する。ハンドル１７２はフランジ支持体の回転を制御することができ、フランジ支持体の回転または固定のいずれかを可能にし、溶接または他の作業のために支持されているカラーフランジアセンブリを安定させることができる。円形ハンドル１１４、バーハンドル１７２、および接地システム１７４は全て、回転体１１０の両側からアクセスすることができる。作業中に、梁が搭載された状態で、回転体の片側から反対側に移動することは、法外に時間がかかったり危険であり得る。どちら側からもアクセスできることにより、作業員が立ち位置を変えることなく回転体の全ての機能を使用することが可能になる。
【００３８】
回転体１１０および／または梁支持体４０は、ベース３０から取り外すことができる。ひとたび梁２２がカラーフランジアセンブリ２４に仮付け溶接されると、梁を自由回転させるために、梁支持体４０を折り畳み、かつ／または取り外すことができる。回転体１１０は、点検、修理、構成要素の改良、または別の種類の回転体との交換のために、取り外すことができる。
【００３９】
図３には、ステーションから分離された回転体１１０が示される。フランジ支持体１１６は、支持体がスタンドに対して回転できるようにスタンド１１２の中央アクスル１１８の第１端に取り付けられる。中央アクスルの第２端にはハンドル１１４が取り付けられ、フランジ支持体１１６の手動回転が可能である。中央アクスルは回転軸ＲＲを画定し、それを中心にハンドル１１４およびフランジ支持体１１６が回転する。
【００４０】
回転体１１０は、一般的にそれぞれＸＸ、ＹＹ、およびＺＺで示されるＸ軸、Ｙ軸、およびＺ軸に関して説明することができる。Ｙ軸は中央アクスル１１８の回転軸ＲＲと一致する水平軸である。Ｚ軸は中央アクスルに対し直角を成す垂直軸である。Ｘ軸は中央アクスルに対し直角を成す水平軸である。
【００４１】
図示した実施例では、ハンドル１１４は、スタンド１１２のフランジ支持体１１６とは反対側に配置された操舵輪である。ハンドル１１４のサイズは重い梁を回転させるときに機械的利点をもたらすことができ、位置はオペレータの安全性を向上することができる。他の実施例では、任意の有効なサイズまたは形状のハンドルを、スタンドまたはフランジ支持体における、回転体１１０の使用を妨げない任意の位置に取り付けることができ、あるいはフランジ支持体１１６は、スタンド内に収容された電気制御装置など他の手段によって回転させてもよい。
【００４２】
フランジ支持体１１６は、特定のフルモーメントカラーのための様々なサイズのカラーフランジアセンブリを支持するように構成される。回転体１１０又はステーション２０は、異なるカラーをシミュレートするように構成され、他のカラー構成要素を支持するように構成され、かつ／または溶接を必要とするいかなる梁端部構成要素を支持するように構成された１つ以上の追加及び／又は代替的支持体構造及び／又はアダプターを含むことができる。梁及び梁端部構成要素の搭載前に、支持体構造のうちの適切な１つを中央アクスル１１８に締結することができる。本実施例では、フランジ支持体１１６はフェースプレート１２０を含み、そこに２つのカラーコーナーシミュレータ１２２が取り付けられる。フェースプレート１２０に配置された２つのカラーコーナーシミュレータは合わせて、カラーフランジアセンブリを受容するように構成された先細のチャネルを形成する。
【００４３】
図４は、フェースプレート１２０のより詳細な図を示し、それは略矩形の形状であり、スタンドの中央アクスルを受け入れるような寸法を有する中央開口１２４を持つ。フェースプレートは前面１２１、後面１２７、および対向する側縁１３１を有する。後面は略平面状であってよいが、前面は、カラーコーナーシミュレータと部分的に篏合してその正しい配置を誘導するために、２つの対向する側辺に沿って窪みが設けられる。フェースプレートは中心線１３３および長手軸１２５を有する。
【００４４】
図２及び３に示すように、フランジ支持体１１６がスタンド１１２に取り付けられると、フェースプレート１２０は、前面が中央アクスル１１８及び回転ＲＲの軸に対し直角を成すように、向き付けられる。フェースプレートは、中央アクスル１１８と一致する中心軸を有すると記載することができる。フェースプレート１２０は、プレートの前面および後面と平行な面内で回転する。
【００４５】
フェースプレート１２０の向きもまた、回転体１１０のＸ軸、Ｙ軸、およびＺ軸に関して記載することができる。中央アクスル１１８に取り付けられると、フェースプレート１２０の長手軸１２５はＺ軸と平行になり、中心線１３３はＸ軸と平行になる。フェースプレートはＸ‐Ｚ面と平行な面内で回転する。フランジ支持体１１６の特徴は、図２に示すように、フェースプレート１２０の直立位置の文脈でＸ軸、Ｙ軸、またはＺ軸の位置を有すると記載することができる。
【００４６】
リフティングポイントまたはコネクタもフェースプレート１２０に含めることができる。本実施例では、クレーンなどの昇降装置に連結するのに適した開口１２３が、プレートの頂端に形成される。フランジ支持体１１６はそれによって、中央アクスル１１８に締結するために所定の位置に吊下され、かつ／またはアクスルから取り外され、別の種類のプレート又は支持体に交換することができ、回転体１１０が様々なビームマウント構成要素の連結のために使用されることを可能にする。
【００４７】
再び図４を参照すると、フェースプレート１２０は、カラーコーナーシミュレータをフェースプレートに固定するための円形で細長い開口のアレイ１３５を含む。フェースプレート１２０の前面内に延びる第１の複数の円形ねじ付き開口１２６は、２列に平行に配設される。開口１２６の列は対称的に配置され、各列はフェースプレートの側縁１３１に近接する。フェースプレート１２０の前面１２１における複数の横方向に細長いスロット１２８も同様に２列に平行に配設され、各列はフェースプレートの側縁１３１に近接する。各列の円形または細長い開口の各列は、フェースプレート１２０の長手軸１２５と平行する。各々の細長いスロット１２８は、フェースプレート１２０の長手軸１２５に対し直角を成す横軸１２９を画定する。
【００４８】
第２の複数の円形ねじ付き開口１３０は、第１の複数のねじ付き開口に対し直角に、フェースプレート１２０の側縁１３１内に延びる。開口１３０は、側縁の各々で、長手軸１２５に対し平行な線に配設される。各々の複数の開口１２６、１２８、１３０は、以下でさらに記述するように、カラーコーナーシミュレータの特徴に対応するように位置付けられる。一般的に、いずれかの開口または全ての開口は螺設するか、あるいは任意の種類の締結具と篏合するように形成することができる。任意の数の開口をフェースプレート１２０に含めることができ、カラーコーナーシミュレータの連結に適した任意の仕方で配設することができる。
【００４９】
フェースプレート１２０は、複数の構成のカラーコーナーシミュレータを連結できるように構成される。すなわち、各カラーコーナーシミュレータは、現在の構成に応じて、開口１３５のアレイの様々なサブセットに連結することができる。フェースプレート１２０は、各構成に対するカラーコーナーシミュレータの正しい配置を示す複数のガイドマークを前面１２１に含む。各構成はカラーフランジアセンブリの長さに対応することができる。シミュレータは各構成の中心線１３３に対して対称的にすることができ、したがってガイドマークは中心線で鏡像化される。
【００５０】
一部の実施例では、フェースプレート１２０は、複数の種類のシミュレータおよび／またはアダプタの連結を可能にするように構成することができる。例えば、フェースプレート１２０は、重力キャッチシミュレータをフェースプレートに締結することを可能にするように配置された、追加の開口を含むことができる。
【００５１】
図５は、カラーコーナーシミュレータ１２２がフェースプレート１２０に取り付けられた状態のフランジ支持体１１６を示す。各カラーコーナーシミュレータ１２２は、上部セクション１３６および下部セクション１３８を含む。フランジ支持体は、上部および下部セクションの垂直方向の配置によって、異なる長さのカラーフランジアセンブリ用に構成することができる。上部セクション１３６および下部セクション１３８は、フェースプレートのガイドマークに従ってフェースプレートに連結することができる。
【００５２】
一部の実施例では、上部セクション１３６と下部セクション１３８との間に中間セクションを含めることもできる。全ての構成に対して同じ上部セクション１３６および下部セクション１３８を使用することができる一方、異なる構成に対して異なる長さの中間セクションまたは複数の中間セクションを使用することができる。
【００５３】
各カラーコーナーは、互いに対して直角に延び、かつフェースプレート１２０の前面および隣接縁部に対して平坦になるように構成された、２つの突出部または脚１３２を有する。換言すると、２つの脚はフェースプレートの角部に跨座し、かつそれにぴったり適合する。２つの脚は同一または異なる長さまたは厚さとすることができる。Ｌ字形の本体１３４は脚の交差部から、２つの脚の間に形成される直角に対する二等分線と平行な角度に延びる。すなわち、本体１３４と脚１３２の各々との間に約１３５度の角度が形成される。ある実施例では、本体１３４は、図６を参照して以下に論じられるように、矩形の形状を有することができる。
【００５４】
カラーコーナーシミュレータ１２２の底端部に、停止構造１５８が取り付けられる。停止構造は、フルモーメントカラーのカラーコーナーアセンブリに形成される位置合わせ構造をシミュレートする。停止構造１５８は、各カラーコーナーシミュレータ１２２の下部セクション１３８の前方脚１３２に調整可能に締結される。停止構造は、底部フランジ部材の相補的底面と接触するように構成された、平面状の上面と傾斜または湾曲した側面とを含む。
【００５５】
停止構造１５８は重力キャッチとして働き、カラーフランジアセンブリの底部フランジを支持し、かつ底部フランジを垂直方向に正確に位置決めする。停止構造はまた、底部フランジを正しい横方向位置に誘導するようにも働くことができ、底部フランジをＸ軸に沿って正確に位置決めする。一部の実施例では、停止構造は、亜鉛メッキされたカラーフランジアセンブリを収容するのに適した空隙を形成するために、オプションのシムを含むことができる。
【００５６】
上部セクション１３６および下部セクション１３８は各々、カラーフランジアセンブリのテーパ形状を受容するように、頂部から底部に向かって徐々に先細りする。中間セクションが含まれているのなら、この中間セクションは、上部セクション１３６の最も狭幅の端部および下部セクション１３８の最も広幅の端部と一致する一貫した幅であることができ、３つの部品が整列して、突出部の無い平滑なチャネルを形成するようにしている。上部セクション１３６および下部セクション１３８は各々、カラービームマウントのカラーコーナーのボルト穴と一致しかつカラーフランジアセンブリのボルト穴と整列するように、サイズおよび位置が決められた１対のボルト穴を有する。
【００５７】
図６は、カラーコーナーシミュレータの上部セクション１３６の脚１３２の内側表面を示す。下部セクション１３８は同様に構成することができる。第１脚は、フェースプレート１２０の開口１３０のサブセットと整列するように配設された、複数の垂直方向に細長い開口１４２を含む（図４参照）。開口域は、フェースプレート１２０の長手軸１２５に対して直角を成す軸１４３を画定することができる。開口１４２の細長く伸びた形状は、これらの開口が複数の構成における同じサブセットの開口１３０と整列することを可能にし、必要な開口１３０の数を低減させる。第２脚は２対のピン１４４および円形開口１４６を含む。各ピン１４４はスロット１２８と整列するように配置され、各円形開口１４６はフェースプレート１２０のねじ付き開口１２６と整列するように配置される（図４参照）。
【００５８】
カラーコーナーシミュレータをフェースプレートに連結するために、各セクションは、フランジ支持体構造の所望の構成に対応するフェースプレートの開口およびスロットに近接して配置することができる。各ピン１４４は、フェースプレートの選択されたサブセットの複数のスロット１２８のうちの対応する１つに挿入することができる。選択されたスロットは所望の構成に対応することができ、前面１２１のガイドマークを使用して選択することができる。ピンは、シミュレータセクションを水平面内に拘束することなく、垂直方向にまたはＺ軸に沿って、シミュレータセクションをフェースプレートに対して正確に配置させることができる。
【００５９】
ボルトを各々の細長い開口１４２に挿入し、フェースプレートの選択されたサブセットの複数の開口１２６のうちの対応する１つにねじ込むことができる。選択される開口は所望の構成に対応することができ、前面１２１のガイドマークを使用して選択することができる。これらのボルトは、シミュレータセクションをＺ軸に沿ってさらに拘束することなく、第１の水平方向にまたはＹ軸に沿って、カラーコーナーのセクションをフェースプレートに対して正確に配置させることができる。これらのボルトは一時的に緩めたままにしておき、シミュレータセクションを第２の水平方向にまたはＸ軸に沿って拘束することを回避することができる。
【００６０】
ボルトを各々の円形開口１４６に挿入し、フェースプレートの複数の開口１３０の選択されたサブセットのうちの対応する１つにねじ込むことができる。選択される開口は所望の構成に対応することができ、前面１２１のガイドマークを使用して選択することができる。これらのボルトを締め付けて、カラーコーナーのセクションをＸ軸に沿ってフェースプレートに対して正確に配置させることができる。開口１４２に挿入されたボルトもまた次いで締め付けることができる。他の実施例では、他の締結の順番を使用してもよい。過度の拘束を使用することなく、カラーコーナーシミュレータをフェースプレートに正確に連結する任意の効果的な方法を使用することができる。
【００６１】
図６には本体部分１３４の脚部１３７も示されている。一部の実施例では、脚部１３７は取り外し可能とすることができる。取り外された場合、本体１３４は矩形の形状を有することができる。一部の実施例では、脚部１３７を省いてもよく、カラーコーナーシミュレータ１２２は、取り外し可能な部分を持たない矩形の本体のみを含むことができる。
【００６２】
本体部分１３４から脚部１３７を取り外し、あるいは脚部を省くことは、カラーコーナーシミュレータの構成要素の食い込みや挟み込みを防止することに役立つ。完成した梁が溶接システムから取り外されるときに、カラーフランジアセンブリが正しく位置合わせされておらず、したがってシミュレータによって捕捉された場合、オーバヘッドクレーンはフランジ支持体および／または回転体を破損させることがあり得る。
【００６３】
一部の実施例では、脚部１３７は落下するように設計することができる。すなわち、脚部は、選択されたレベルの力を受けたときに、離脱するように設計することができる。そのような離脱設計により、脚部１３７は、正しく位置合わせされたカラーフランジアセンブリを誘導することができるが、正しく位置合わせされていないか、あるいは挟み込まれたアセンブリの結果カラーコーナーシミュレータに生じる損傷を制限することができる。
【００６４】
図５に再び言及すると、フランジ支持体構造１１６はまた、安全キー１５６を有する安全ラッチ１５４をも含む。ラッチは、カラーコーナーシミュレータ１２２の１つにおける下部セクション１３８に取り付けられ、キー１５６はこのセクションを貫通して延び、ラッチ機構と係合する。安全ラッチ１５４をカラーコーナーシミュレータに取り付けることで、複数のサイズのカラーフランジアセンブリに対し同一ラッチを使用することが可能になる。
【００６５】
安全キー１５６は搭載されたカラーフランジアセンブリの取り外しを防止するように配置され、カラーフランジアセンブリの全重量及び梁の重量の少なくとも約半分を支持するのに充分な強度を持つ。フランジボルトが所定の位置に無い状態で、フランジ支持体構造１１６が不注意で上下逆さまにされようとした場合、安全キーはカラーフランジアセンブリをフランジ支持体構造内に支持しかつ保持し、それにより連結された梁を持ち上げる。安全キーを取り外すと安全ラッチが係合する。ラッチの係合により、フランジ支持体構造１１６の回転を防止することができる。これにより、フランジ支持体構造が直立していない場合、キーが所定の位置にあることを確実にすることができる。安全ラッチ１５４は、図８を参照して以下にさらに詳述される。
【００６６】
図７は、フランジ支持構造１１６が無い状態の回転体１１０を示す。他の支持構造はスタンド１１２に取り付けることができ、回転体は、他の構造を梁に連結する際に、あるいは他の製造プロセスの一部として、使用することができる。スタンド１１２は、５つのパネルから成りかつベースプレート１６２に取り付けられた、矩形の主筐体１６０を含む。ベースプレートは梁取付けステーションのトラックと係合するように構成され、トラックまたは別の回転体に対しスタンドを正確に位置決めするための特徴を含むことができる。
【００６７】
アクスル筐体１６４は、中央アクスル１１８を中心に同心の主筐体１６０中に延在する。アクスル筐体内の筐体の第１および第２端にカラーベアリングを取り付けることができ、中央アクスルを筐体内で自由に回転させることが可能である。筐体は主筐体１６０に対して固定することができる。
【００６８】
リフティングポイント１６６は主筐体１６０の頂部パネルに取り付けられる。リフティングポイントは、頂部パネルの下面にボルト止めされかつ主筐体内部に配置された、主領域を含む。開口付きの突起は頂部パネルを貫通して延び、筐体の外部からアクセス可能である。回転体を移送するために、クレーンまたは他の昇降装置をリフティングポイント１６６に取り付けることができる。この形状は、安全な移送のために回転体の荷重を分散させることができる。図７に示すように、開口はリフティングポイントの主領域の中心の前方にも位置する。これは回転体の重量の不均等な分散の効果を打ち消すことができ、回転体をクレーンから略垂直にまたはまっすぐ下に吊下させることを可能にする。
【００６９】
スタンド１１２は、アクスル筐体１６４に取り付けられかつ中央アクスル１１８の周りを取り囲む、バンパ１６８を含む。一部の実施例では、バンパは、主筐体１６０の筐体とフェースプレート１２０との間の外面に取り付けることもできる。一部の実施例では、バンパはフェースプレート１２０および／または中央アクスル１１８に取り付けることができ、フランジ支持体１１６と共に回転することができる。バンパ１６８は変形可能または使い捨て可能な材料から構成することができる。事故または誤用によりフランジ支持体に過度の力が加えられる状況で、支持体または中央アクスルではなく、バンパが変形することができる。使用または環境要因のためフランジ支持体のフェースプレートに反りが生じた場合、バンパは筐体またはフェースプレートに対し摩擦または固着を生じ、それが無ければ使用者に気づかれない回転体の形状異常を示すことができる。
【００７０】
回転体１１０は固定モードおよび回転可能モードを有する。スタンド１１２は、回転体１１０を固定モードと回転可能モードとの間で移行させるために使用される、手動操作可能な回転リリース１７０を含む。固定モードは、回転間の安定した装填、取り出し、および／または溶接を可能にする。一部の実施例では、中央アクスル１１８を支持する回転機構はさらに、予め定められた範囲を超える回転を防止する回転ストッパを含むことができる。回転体１１０を固定するために、任意の効果的な機構を使用することができる。
【００７１】
本実施例では、回転リリース１７０は、中央バー１７６から横方向に延びる２つのハンドル１７２を含む。ハンドルは主筐体１６０の側部パネルを貫通して延び、スタンド１１２の両側から回転リリース１７０を手動操作することが可能になる。回転体の片側から反対側に移動することは、支持されている梁および梁連結ステーションのトラックが存在するため、不便あるいは危険であるので、これは有利である。
【００７２】
回転リリース１７０の中央バー１７６は、スタンド１１２の主筐体１６０に摺動可能に取り付けることができる。すなわち、ハンドル１７２は、中央アクスル１１８と平行に、かつ制限された運動範囲内で、中央バーを前後方向に摺動するために使用することができる。最前方位置では、中央バーはフランジ支持体のフェースプレートの背面にある凹部内に延びることができる。中央バーとフェースプレートとの間の係合は、スタンド１１２に対するフランジ支持体の回転を防止することができる。中央バーのこの位置は、回転体１１０の固定モードと記述することができる。図８に示すように、フェースプレート１２０の後面に複数の凹部１７３を配置することができ、フランジ支持体を複数の向きにした状態で回転体１１０を固定することが可能になる。
【００７３】
最後方位置では、中央バーはフランジ支持体と係合しない。中央バーはハンドル１１４とも係合せず、フランジ支持体は回転することができる。この位置は、回転体の回転可能モードと記載することができる。
【００７４】
図７に戻って、スタンド１１２は接地システム１７４をも含む。本実施例では、システムは、中央アクスル１１８に取り付けられた導電性材料のリング１７８と、中央アクスルの回転を介してリングと接触し続ける、アクスル筐体１６４に取り付けられた導電性バーとを含む。導電性バーは、筐体の開口を介して主筐体１６０の両側からアクセス可能である接地板１８０に電気的に接続される。接地板および導電性バーはアクスル筐体１６４に取り付けられるが、筐体とは電気的に導通していない。溶接中に接地線またはリードを接地板１８０に接続することができ、スタンドのベアリングを損傷することなく、結果的に生じる中央アクスル１１８の電圧を安全に接地させることが可能である。
【００７５】
図８は、安全ラッチ１５４を含むフランジ支持体１１６の一部分の背面図を示す。安全ラッチはスタンド１１２に含まれかつ図７に見ることのできる、ラッチ板１８２と界接するように構成される。安全ラッチ１５４は、ボルト１８６を中心に枢動可能なアーム１８４を含む。ボルトおよび解除ピン１８８はブラケット１９０に取り付けられる。解除ピン１８８はアーム１８４の穴１９２に延び、アームの枢動を選択的に防止する。ユーザが解除ピンを持ち上げると、アーム１８４を枢動させることが可能になり、解除ピンは付勢されてアーム１８４に向かって戻ることができる。第１端にアーム１８４は凹部１９４を含む。第２端にアーム１８４はタブ１９６を含む。凹部１９４は安全キー１５６と係合するように形作られ、タブ１９６はラッチ板のスロットと係合するサイズに作られる。アーム１８４はフェースプレート１２０の後面１２７のスロット１９８と係合するサイズに作られる。
【００７６】
ブラケット１９０は、カラーコーナーシミュレータ１２２の下部セクション１３８に取り付けられる。したがって、ブラケット１９０および安全ラッチ１５４のアーム１８４は、カラーコーナーシミュレータ１２２の構成に応じて、ラッチ板に対して様々な高さに配置することができる。したがって、カラーコーナーシミュレータ１２２の可能な構成の各々に対応して、ラッチ板１８２は複数のスロットを含み、フェースプレート１２０は複数のスロット１９８を含む。一部の実施例では、ラッチ板は、他の支持アセンブリの安全ラッチと係合するように配置された追加のスロットを含んでよい。
【００７７】
図８に示す安全ラッチ１５４の位置は、ラッチ解除位置または係合離脱位置と呼ぶことができる。タブ１９６がラッチ板のスロットに受容されている安全ラッチの位置は、ラッチ位置または係合位置と呼ぶことができる。ラッチ解除位置では、解除ピン１８８がアーム１８４の穴１９２と整列し、かつ穴内に延びることができ、それによってアームの枢動を防止する。凹部１９４は安全キー１５６と係合し、アーム１８４が枢動できない限り、キーの取り外しを防止する。安全ラッチ１５４をラッチ解除位置からラッチ位置に移行させるために、ユーザは解除ピン１８８を持ち上げて、安全キー１５６を取り外すことができる。
【００７８】
ラッチ位置で、タブ１９６はラッチ板と係合し、支持アセンブリの回転を防止する。アーム１８４はばね付勢され、解除ピン１８８によって防止されない限り、ラッチ位置まで枢動する。安全ラッチ１５４をラッチ位置からラッチ解除位置まで戻すために、ユーザは安全キー１５６を挿入することができる。安全キーを挿入すると、アーム１８４が枢動して、解除ピン１８８が穴１９２と整列し、穴内に延びることが可能になる。
【００７９】
Ｂ．例示的回転体
図９〜図１１に示すように、本セクションでは例示的回転体２１０について述べる。回転体２１０は、上述したカラーフランジアセンブリ溶接治具の別の例である。多くの構成要素は、実施例Ａで説明した回転体１１０の構成要素と同様である。したがって、同様の構成要素は同様の参照番号を付けることができる。
【００８０】
図９では、回転体２１０はフランジ支持構造無しで示されているが、上述したフランジ支持構造１１６などの支持構造と共に使用するように構成されている。回転体２１０は、主筐体２６０およびアクスル筐体２６４を持つスタンド２１２を含む。中央アクスル２１８は、主筐体２６０の前面の取付け位置２１３から筐体の後面のハンドル２１４まで、スタンドを貫通して延びる。
【００８１】
昇降構造２６６は主筐体２６０の頂部パネルに取り付けられる。昇降構造は、頂部パネルの下面にボルト止めされかつ主筐体内部に配置された、主領域を含む。本実施例の主領域で、複数のリフティングポイント２６７がボルト止めされる。昇降構造２６６は２つのリフティングポイント２６７を含む。一部の実施例では、昇降構造は、リフティングポイント２６７を主領域の長さに沿って再配置できるように、追加のリフティングポイントおよび／または追加のねじ付き開口を含むことができる。複数のリフティングポイントおよび／または調整可能なリフティングポイントは、昇降構造２６６を回転体２１０の重心に応じて構成することを可能にする。例えば、フランジ支持構造が取付け位置２１３に固定されたときに、回転体の重心は変化することがある。リフティングポイントを重心より上に配置することにより、回転体のより安全かつより安定した昇降が可能になる。
【００８２】
主筐体２６０はベースプレート２６２に取り付けられる。ベースプレートに取り付けられているのは測距ブロック２６３である。このブロックは、２つの回転体の間の距離を正確に決定するために、レーザ測定器または他の測距ツールと共に使用することができる。そのような正確な間隔配置は、梁および／またはカラーフランジアセンブリの変動に影響されず、梁および取り付けられたカラーフランジアセンブリの正確な全長を捉えることを可能にする。図示した実施例では、ブロック２６３は、ドエルピンによってベースプレート２６２に着脱可能に取り付けられ、かつ２つの向きの間で迅速に反転させることができる。
【００８３】
ブロック２６３の前向きの表面は、そのような向きの変更によって較正された距離だけ移動することができる。距離は亜鉛メッキされる梁の長さの差に対応する。カラーフランジアセンブリの取付け後に亜鉛メッキされる梁の場合、アセンブリは、亜鉛メッキプロセス中に材料を堆積できるように、機械加工することができる。ブロック２６３はそれによって、そのような梁のための迅速な移動を容易にし、かつ／または溶接システムのセットアップを簡素化することができる。
【００８４】
回転体２１０は接地システム２７４をも含む。導電性ロッド２７５はアクスル筐体２６４に取り付けられ、開口を通って筐体内に延びる。開口２７７は図９には示されないが、ばね２７８と共に図１１に見ることができる。ロッド２７５はそれによって中央アクスル１１８と接触するようにばね付勢される。図９に戻って、導電性コネクタ２７９が主筐体２６０の側部パネルを貫通して取り付けられる。ロッド２７５は、ワイヤまたは任意の有効な手段によって、コネクタ２７９に電気的に接続することができる。
【００８５】
図１０に示すように、第２コネクタ２７９は主筐体２６０の反対側のパネル上に取り付けられる。各コネクタは、リード２８０などの接地リードの接続に適したインタフェースを含む。溶接作業の結果生じる電圧はそれによって、回転体２１０を損傷することなく、無事に接地させることができる。コネクタ２７９は、主筐体２６０の内部にアクセスする必要なく、回転体２１０の両側から接地システム２７４に容易にアクセスすることを可能にする。
【００８６】
ハンドル２１４は、４つのスポーク２１９によって中央プレート２１７に接続された外側リングまたはフープ２１５を含む。ハンドル２１４の強度、剛性、およびサイズは、重い構造用梁の平滑かつ安全な回転を可能にするために重要である。したがってスポーク２１９は、接続強度を高めるように三角形のパターンに配設された３つのボルトにより、中央プレート２１７に締結される。緩みを除去し、接続強度を向上するために、４つのショルダボルト２２１および１つの中央ボルト２２３で、中央プレート２１７を中央アクスル２１８に締結する。
【００８７】
図１１は、回転体２１０のアクスル機構の図９の線１１‐１１に沿った断面図である。中央ボルト２２３および２つのショルダボルト２２１が、中央アクスル２１８の後端に接続されていることも見ることができる。取付け位置２１３はアクスルの前端に配置される。本実施例では、アクスル１１８および取付け位置２１３は単一体の軸構造であり、それは強度を高め、製造を簡素化し、かつ内部溶接の損傷リスクを排除することができる。
【００８８】
ハンドル、中央プレート２１７、中央アクスル１１８、および任意の取り付けられた支持構造は一体に固定し、一体に動かすことができる。しかし、中央アクスル１１８は、回転軸と平行に限定された範囲の動きを可能とすることができる。中央プレート２１７とアクスル筐体２６４との間に取り付けられているのは、柔軟な機構２６５である。本実施例では、柔軟な機構２６５はベルビルワッシャを含む。一部の実施例では、機構はばね、圧縮可能な材料、および／または任意の適切な構造を含むことができる。
【００８９】
アクスルは柔軟な機構によって付勢され、デフォルト、公称、中立、または静止位置に戻ることができる。カラーフランジアセンブリと梁との間の溶接が冷却して収縮するにつれて、アクスル２１８はばね付勢に抗して前方に引っ張られる。ひとたび梁が取り除かれると、アクスルは静止位置に戻ることができる。一部の実施例では、静止位置は、そのような収縮を考慮に入れて、所望の最終的な梁の長さより少し大きい長さに対応することができる。
【００９０】
Ｃ．カラーフランジアセンブリを梁に溶接する例示的方法
本セクションでは、カラーフランジアセンブリを梁に溶接するための例示的方法のステップについて説明する（図１２参照）。上述した溶接システム、取り付けステーション、溶接治具、および／または回転体の態様を、以下で説明する方法ステップで利用することができる。必要に応じて、各ステップを実行するのに使用することのできる構成要素およびシステムに言及する場合がある。これらの言及は例示を目的とするものであって、方法のいずれかの特定のステップを実行する可能な仕方を限定する意図はない。
【００９１】
図１２は、例示的方法で実行されるステップを示すフローチャートであり、方法の完全なプロセスまたは全てのステップが掲げられていないかもしれない。方法３００の様々なステップを以下に記載し、図１２に示すが、ステップは必ずしも全てを実行する必要はなく、場合によっては同時に、あるいは示された順序とは異なる順序で実行されることがある。
【００９２】
方法のオプションのステップ３１０は、回転体および梁ジャッキをトラックに設置することを含む。トラックは、２つの回転体および２つの梁ジャッキを互いに対して摺動させるように構成された１つ以上のチャネルを含む、ベース構造とすることができる。回転体は、フルモーメントカラーの種類、梁の分類、および／または製造プロジェクトの任意の関連する様相に従って交換することができる。回転体はまた保守のために交換することもでき、かつ／または改良された回転体に置換することもできる。各回転体は、オーバヘッドクレーンまたは他の昇降装置による回転体の移送が可能になるように、静的および／または調整可能なリフティングポイントを含むことができる。
【００９３】
一部の実施例では、１つの回転体および１つの梁ジャッキはトラックに永続的に固定することができる一方、他の回転体および梁ジャッキは所望の位置に調整可能とすることができる。一部の実施例では、測距装置および／または他の梁支持体などの追加的および／または代替的構造をトラック上に設置することもできる。
【００９４】
方法のオプションのステップ３１２は、第１および第２カラーコーナーシミュレータを各回転体のフェースプレートに取り付けることを含む。フェースプレートは、回転体の中央アクスルに連結し、デフォルト、図１に示すように直立、１２時、または０度の位置に回転することができる。回転体のリリースハンドルは、シミュレータの取付け中に回転することを防止するように、フェースプレートと係合することができる。
【００９５】
カラーコーナーシミュレータは、梁の奥行きおよび溶接しようとするカラーフランジアセンブリに対応する長さを有するように選択し、かつ／または構成することができる。カラーコーナーシミュレータは、Ｘ軸、Ｙ軸、およびＺ軸に沿って、フェースプレートに対し、かつ互いに対して正確に配置されるように、フェースプレートに締結することができる。各シミュレータおよび／またはシミュレータ部分に対し、シミュレータをフェースプレートに締結するために、サブステップ３１４〜３１８を実行することができる。
【００９６】
サブステップ３１４は、シミュレータのピンをフェースプレートのスロット内に挿入することを含む。シミュレータは複数のピンを含むことができ、各ピンは、フェースプレートの複数のスロットの選択されたサブセットのうちの対応する１つに挿入することができる。選択されたスロットはシミュレータの所望の構成に対応することができ、フェースプレートのガイドマークを使用して選択することができる。ピンは、シミュレータセクションを水平面内に拘束することなく、フェースプレートに対して垂直方向またはＺ軸に沿ってシミュレータを正確に配置させることができる。
【００９７】
サブステップ３１６は、シミュレータの細長い穴を通してボルトをフェースプレートの第１のねじ穴に締結することを含む。ボルトは、シミュレータの複数の細長い開口の各々に挿入し、フェースプレートの複数のねじ穴の選択されたサブセットのうちの対応する１つにねじ込むことができる。選択された穴はシミュレータの所望の構成に対応することができ、フェースプレートのガイドマークを使用して選択することができる。これらのボルトは、シミュレータセクションをＺ軸に沿ってさらに拘束することなく、シミュレータを第１の水平方向にまたはＹ軸に沿って、フェースプレートに対して正確に配置させることができる。シミュレータセクションを第２の水平方向にまたはＸ軸に沿って拘束することを防止するために、これらのボルトは一時的に緩めたままにしておくことができる。
【００９８】
サブステップ３１８は、第２ボルトを、シミュレータの円形穴を通して、フェースプレートの第２のねじ穴内に締結することを含む。円形穴は、シミュレータを通してシミュレータの細長い穴の領域に対し直角の方向に延びることができる。同様に、フェースプレートの第２のねじ穴は、フェースプレートの第１のねじ穴に対し直角に延びることができる。
【００９９】
ボルトは、シミュレータの複数の円形開口の各々に挿通され、フェースプレートの複数のねじ付き開口の選択されたサブセットのうちの対応する１つにねじ込むことができる。選択される開口は、シミュレータの所望の構成に対応することができ、フェースプレートのガイドマークを用いて選択することができる。これらのボルトは、カラーコーナーのセクションをＸ軸に沿ってフェースプレートに対して正確に配置させるように締め付けることができる。シミュレータの細長い開口に挿通されたボルトもまた、その後締め付けることができる。一部の実施例では、他の締結の順番または他の締結具の組み合わせを使用することができる。過度の拘束を使用することなく、カラーコーナーシミュレータをフェースプレートに正確に連結する任意の効果的な方法を使用することができる。
【０１００】
方法３００のオプションのステップ３２０は、回転体をトラックに沿って正確に間隔配置することを含む。回転体は互いに対して選択された距離に固定することができ、その距離は梁の長さに対応する。回転体は一方または両方とも、レーザ距離測定器などの測距装置を含むことができる。追加的にまたは代替的に、トラックは複数の一般的距離を示すガイドマークを含むことができる。
【０１０１】
一部の実施例では、回転体は、トラックに沿って、選択された距離に対応する離散的な複数の位置に固定可能とすることができる。例えば、回転体の筐体を通してトラックの開口にピンを受容させることができる。一部の実施例では、回転体は、任意の所望の間隔配置ができるように、連続的な複数の位置に固定可能とすることができる。例えば回転体の締付けボルトは、トラックを摩擦係合するように構成することができる。
【０１０２】
一部の実施例では、オプションのステップ３１０，３１２および／または３２０を省くことができる。例えば、同一仕様の複数のカラーフランジアセンブリを複数の梁に溶接するために、回転体を使用することができる。そのような実施例では、溶接システムはステップ３１０，３１２および３２０を１回実行することによって準備することができ、その後、いくつかまたは全てのオプションのステップ無しに、方法３００を繰り返すことができる。
【０１０３】
方法のステップ３２２は、梁および取り付けられたカラーフランジアセンブリを、回転体および梁ジャッキによって支持されるように下降させることを含む。カラーフランジアセンブリは、梁の両端にクランプするか、あるいは他の仕方で一時的に固定することができる。梁は、カラーフランジアセンブリが回転体のフランジ支持構造によって受容され、かつ梁が梁ジャッキ上に支持されるように、取付けステーション内へ下降させることができる。一部の実施例では、各カラーフランジアセンブリは回転体のフランジ支持構造内に別々に搭載させることができ、梁は梁ジャッキ上に別々に下降させることができる。梁およびカラーフランジアセンブリを一緒に搭載させると、カラーフランジアセンブリと回転体のフランジ支持構造との相互作用によって、梁を水平面内に正確に配置することができる。
【０１０４】
ステップ３２４は、カラーフランジアセンブリをフランジ支持構造のシミュレータに締結することを含む。各フランジ支持体の垂直ストッパは、ボルトおよび／または位置合わせピンがカラーフランジアセンブリおよびカラーコーナーシミュレータの位置合わせされた開口内に挿入される間、カラーフランジアセンブリを所定の位置に保持することができる。一部の実施例では、全ての開口を固定することができ、あるいは開口の一部のサブセットを固定することができる。カラーフランジアセンブリをさらに固定するために、各回転体の安全ラッチ機構にキーを挿入することもできる。
【０１０５】
ひとたびカラーフランジアセンブリが固定されると、フランジアセンブリと梁との間のクランプおよび／または他の連結は取り外すことができる。ステップ３２６は、梁を垂直方向に位置合わせさせることを含む。梁をカラーフランジアセンブリに対して正確に配置するために、梁ジャッキは必要に応じて上昇または下降させることができる。位置合わせした梁およびカラーフランジアセンブリは、梁がフランジアセンブリによって支持されるように、一体に仮付け溶接することができる。次いで、梁を回転させるための隙間ができるように、ジャッキはトラックから取り外され、かつ／または下降される。
【０１０６】
ステップ３２８で、梁およびカラーフランジアセンブリを回転させて、溶接を可能にする。梁およびフランジアセンブリは互いに永続的に溶接することができる。溶接中に、回転体のリリースハンドルを引いて、フランジ支持体の回転を可能にすることができる。梁を回転させるために２人の作業員が必要とされ、各作業員が回転体の１つを制御する。梁は０度、４５度、９０度、１３５度、１８０度、２２５度、２７０度、および／または３１５度の位置に回転させることができる。向きを変えることにより、溶接を必要とする接合部へのアクセスが容易になり、かつ／または最良の結果が得られるように溶接面を水平方向に位置付けることが可能になる。高効率化を図るため、２台の溶接機の間の連携により、両方のカラーフランジアセンブリを同時に取り付けることが可能である。
【０１０７】
回転中に、特に６時の位置で、各フランジ支持構造の垂直ストッパはカラーフランジアセンブリを保持することができず、したがって、梁を所定の位置に保持することができない。代わりに、フランジアセンブリおよびカラーコーナーシミュレータを貫通するボルトが、どんなに回転しても梁を確実に保持する。さらに、各カラーフランジアセンブリの底部フランジは、フランジ支持体の全ての向きで、安全キー、垂直ストッパ、およびカラーコーナーシミュレータの間で固定される。したがって、カラーフランジアセンブリに仮付け溶接された梁は、たとえ上下逆さまになり、ボルトが外れても、安全であり、回転中の事故の可能性は低減する。
【０１０８】
溶接が完了すると、梁およびフランジ支持構造は１２時の位置に戻される。次いで安全キーを取り外すことができ、ステップ３３０はカラーフランジアセンブリをフランジ支持構造から締結解除することを含む。
【０１０９】
方法のステップ３３２は、以上で完成した梁および取り付けられたカラーフランジアセンブリを梁取付けステーションから持ち上げることを含む。梁ジャッキは最初に再設置または折畳み解除することができ、次いで、梁を制御下で正確に小距離持ち上げるために使用することができる。例えば、梁は１インチ、かつ／または各カラーフランジアセンブリの上縁が各カラーコーナーシミュレータの上縁を通過するまで、持ち上げることができる。そのような持上げは、カラーフランジアセンブリが、カラーコーナーシミュレータにおける位置合わせ不良状態によって損傷、および食い込みまたは挟み込みを生じないことを確実にすることができる。大容量クレーンによって引っ張られると、食い込んだカラーフランジアセンブリは回転体に損傷を発生し得る。
【０１１０】
カラーフランジアセンブリがカラーコーナーシミュレータから充分に取り除かれると、オーバヘッドクレーンは、溶接システムから完全に切り離された梁を持ち上げるために使用することができる。梁は保管場所および／または建設現場に送達することができる。
【０１１１】
例示的な組合せおよび追加の実施例
本セクションでは、一連のパラグラフとして制限なく提示される、フルモーメントカラーフランジアセンブリ溶接システムの追加的な態様および特徴について説明し、明確化および効率性のために、パラグラフの一部または全部を英数字で指定することができる。これらのパラグラフの各々は、１つ以上の他のパラグラフと、かつ／または相互参照において参照によって援用された資料を含め本願の別の個所の開示と、いずれかの適切な仕方で組み合わせることができる。以下のパラグラフの幾つかは、他のパラメータを明示的に参照し、かつさらに制限し、適切な組合せの幾つかの例を限定することなく提供する。
【０１１２】
Ａ．フェースプレートと、
前記フェースプレートに取り付けられ、頂部および底部カラーフランジ部材を支持するように構成された１対のカラーコーナーシミュレータと、
を備え、
各カラーコーナーシミュレータは、前記フェースプレートの第１スロット内に篏合するピンを有し、前記第１スロットは前記フェースプレートの長軸に直交する長軸を有する、
梁端部に溶接するためにカラーフランジアセンブリを支持するための装置。
【０１１３】
Ａ１．各カラーコーナーシミュレータは、前記シミュレータを前記ベースプレートに締結するボルトを受容するために、前記ピンに水平方向に隣接する穴をも有する、パラグラフＡに記載の装置。
【０１１４】
Ａ２．各カラーコーナーシミュレータは、前記シミュレータを前記フェースプレートに締結するボルトを受容するように構成された第２スロットを有し、前記第２スロットは前記第１スロットの長軸に直交する長軸を有する、パラグラフＡまたはＡ１に記載の装置。
【０１１５】
Ｂ．下部フランジ部材の適切なＺ軸位置を設定するために下端部から外向きに延びる停止部材を有するカラーコーナーシミュレータを取り付けるためのピンおよびスロットのアレイを有するフェースプレート、
を備えた、梁端部に溶接するためにカラーフランジアセンブリを支持するための装置。
【０１１６】
Ｃ．シミュレータのピンをベースプレートにある楕円形の穴に挿入することによって、カラーコーナーシミュレータのＺ軸位置を設定するステップ、
を含み、
前記楕円形の穴はベースプレートの長軸に直交する長軸を有する、
回転可能なベースプレート上にカラーコーナーシミュレータを配置する方法。
【０１１７】
Ｃ１．ボルトを前記シミュレータにある丸穴から前記ベースプレートにあるねじ穴に締結することによって、前記カラーコーナーシミュレータのＸ軸位置またはＹ軸位置を設定するステップをさらに含む、パラグラフＣに記載の方法。
【０１１８】
Ｃ２．ボルトを前記シミュレータにある楕円形の穴から前記ベースプレートにあるねじ穴に締結することによって、前記カラーコーナーシミュレータのＸ軸位置またはＹ軸位置を設定するステップをさらに含み、前記シミュレータにある前記楕円形の穴は、前記ベースプレートの長軸と平行な長軸を有する、パラグラフＣまたはＣ１に記載の方法。
【０１１９】
Ｄ．水平アクスル機構を含むベース筐体と、
前記アクスル機構に取り付けるように構成されたフェースプレートと、
前記フェースプレートに取り付けられ、頂部および底部カラーフランジ部材を支持するように構成された１対のカラーコーナーシミュレータと、
を備え、
前記筐体は、溶接手順中に接地を提供するために、筐体の２つの対向面からアクセス可能な接地導体を含む、
梁端部に溶接するためにカラーフランジアセンブリを支持するための装置。
【０１２０】
Ｄ１．前記接地導体は前記フェースプレートに電気的に接続されたプレートを含み、前記筐体は、前記接地導体の前記プレートにアクセスするためのアクセス穴を前記２つの対向面に有する、パラグラフＤに記載の装置。
【０１２１】
Ｅ．水平アクスル機構を含むベース筐体と、
前記アクスル機構に取り付けるように構成されたフェースプレートと、
前記フェースプレートに取り付けられ、頂部および底部カラーフランジ部材を支持するように構成された１対のカラーコーナーシミュレータと、
を備え、
前記筐体は、前記筐体と前記フェースプレートとの間の外面にバンパを有する、
梁端部に溶接するためにカラーフランジアセンブリを支持するための装置。
【０１２２】
Ｆ．水平アクスル機構を含むベース筐体と、
前記アクスル機構に取り付けるように構成されたフェースプレートと、
前記フェースプレートに取り付けられ、頂部および底部カラーフランジ部材を支持するように構成された１対のカラーコーナーシミュレータと、
を備え、
前記フェースプレートは、前記アクスル機構から着脱可能であり、かつ昇降装置に連結するための連結機能を有する、
梁端部に溶接するためにカラーフランジアセンブリを支持するための装置。
【０１２３】
Ｇ．水平アクスル機構を含むベース筐体と、
前記アクスル機構に取り付けるように構成されたフェースプレートと、
前記フェースプレートに取り付けられ、頂部および底部カラーフランジ部材を支持するように構成された１対のカラーコーナーシミュレータと、
前記アクスル機構に連結されたハンドルであって、前記筐体の前記フェースプレートとは反対側の面に取り付けられたハンドルと、
を備える、
梁端部に溶接するためにカラーフランジアセンブリを支持するための装置。
【０１２４】
Ｈ．水平アクスル機構を含むベース筐体と、
前記アクスル機構に取り付けるように構成されたフェースプレートと、
前記フェースプレートに取り付けられ、頂部および底部カラーフランジ部材を支持するように構成された１対のカラーコーナーシミュレータと、
前記カラーコーナーシミュレータの１つに取り付けられ、固定モードと自由回転モードとの間で交代するように構成された安全ラッチと、
を備え、
前記アクスル機構は、前記固定モード時に回転が防止され、かつ自由回転モード時に自由に回転することができる、
梁端部に溶接するためにカラーフランジアセンブリを支持するための装置。
【０１２５】
Ｈ１．前記安全ラッチは、自由回転モードを可能にするためにキーを挿入する必要がある、パラグラフＨに記載の装置。
【０１２６】
Ｈ２．前記アクスル機構が自由回転モードのときに、前記キーは取り外すことができない、パラグラフＨ１に記載の装置。
【０１２７】
Ｊ．中央水平アクスル機構および筐体を含むスタンドと、
前記アクスル機構の第１端に取り付けられたハンドルと、
前記アクスル機構の第２端に取り付けられた回転可能なプレート構造と、
前記プレート構造に取り付けられ、梁端部構成要素を支持するように構成された柱連結シミュレータと、
を備えた、梁端部構成要素溶接治具。
【０１２８】
Ｊ１．前記プレート構造および前記ハンドルは、前記筐体の対向する両側に配置される、パラグラフＪに記載の溶接治具。
【０１２９】
Ｊ２．前記ハンドルはスポーク構造を介して前記アクスル機構に連結されたホイールを含む、パラグラフＪまたはＪ１に記載の溶接治具。
【０１３０】
Ｊ３．前記梁端部構成要素はカラーフランジアセンブリであり、前記柱連結シミュレータは１対のカラーコーナーシミュレータを含む、パラグラフＪ〜Ｊ２のいずれかに記載の溶接治具。
【０１３１】
Ｊ４．前記シミュレータの少なくとも１つは、穴と、前記シミュレータからカラーフランジアセンブリが偶発的に外れるのを防止するために前記穴に係合する着脱可能な停止部材とを有する、パラグラフＪ３に記載の溶接治具。
【０１３２】
Ｊ５．前記停止部材が前記穴に係合されていないときに、前記プレート構造は回転することが防止される、パラグラフＪ４に記載の溶接治具。
【０１３３】
Ｊ６．予備ロック装置がロック解除されるまで、前記プレート構造の回転、および前記穴からの前記停止部材の取り外しを防止する、予備ロック装置をさらに備えた、パラグラフＪ５に記載の溶接治具。
【０１３４】
Ｊ７．前記１対のカラーコーナーシミュレータの１つに取り付けられた安全ラッチ機構をさらに含み、前記ラッチ機構は、前記筐体のラッチ板と係合して前記アクスル機構の回転を防止するように構成された、パラグラフＪ３〜Ｊ６のいずれかに記載の溶接治具。
【０１３５】
Ｊ８．前記安全ラッチ機構は、前記ラッチ機構を前記ラッチ板から係合解除して、前記アクスル機構の回転を可能にするキーであって、前記キーが前記安全ラッチ機構と係合されているときに、前記シミュレータからのカラーフランジアセンブリの取り外しを防止するストッパとして働くように構成されたキーを含む、パラグラフＪ７に記載の溶接治具。
【０１３６】
Ｊ９．前記プレート構造は、前記１対のカラーコーナーシミュレータを前記プレート構造に締結するために、円形開口および細長いスロットのアレイを含む、パラグラフＪ３〜Ｊ８のいずれかに記載の溶接治具。
【０１３７】
Ｊ１０．各円形開口はボルトを受容するように構成されたねじ付き開口であり、各細長い開口はカラーコーナーシミュレータのピンを受容するように構成されたスロットである、パラグラフＪ９に記載の溶接治具。
【０１３８】
Ｊ１１．各カラーコーナーシミュレータは、カラーフランジアセンブリの正確な垂直位置を設定するために、下端部から外向きに延びる停止部材を含む、パラグラフＪ３〜Ｊ１０のいずれかに記載の溶接治具。
【０１３９】
Ｊ１２．前記停止部材は、前記カラーフランジアセンブリの正確な水平位置を設定するためのガイドショルダ面を含む、パラグラフＪ１１に記載の溶接治具。
【０１４０】
Ｊ１３．前記筐体と前記プレート構造との間に配置されたバンパをさらに含む、パラグラフＪ〜Ｊ１２のいずれかに記載の溶接治具。
【０１４１】
Ｊ１４．前記筐体は、昇降装置に連結するように構成された開口を有する昇降用フランジを含む、パラグラフＪ〜Ｊ１３のいずれかに記載の溶接治具。
【０１４２】
Ｊ１５．前記プレート構造は、昇降装置に連結するように構成された開口を含む、パラグラフＪ〜Ｊ１４のいずれかに記載の溶接治具。
【０１４３】
Ｊ１６．溶接手順中に前記アクスル機構からの接地を提供するために、前記筐体の第１および第２対向面からアクセス可能な接地導体をさらに含む、パラグラフＪ〜Ｊ１５のいずれかに記載の溶接治具。
【０１４４】
Ｊ１７．前記アクスル機構は、前記プレート構造の限定された水平方向の変位を可能にし、前記プレート構造を静止位置に戻すためにばね付勢される、パラグラフＪ〜Ｊ１６のいずれかに記載の溶接治具。
【０１４５】
Ｊ１８．前記アクスル機構は、前記プレート構造に直接連結される単一体のアクスルシャフトを含む、パラグラフＪ〜Ｊ１７のいずれかに記載の溶接治具。
【０１４６】
Ｋ．トラックを含むベースと、
前記トラックに摺動可能に取り付けられた第１および第２カラーフランジアセンブリ溶接治具と、
を備え、
各溶接治具は、
中央水平アクスル機構および筐体を含むスタンドと、
前記アクスル機構の第１端に取り付けられたハンドルと、
前記アクスル機構の第２端に取り付けられた回転可能なプレート構造と、
前記プレート構造に取り付けられ、カラーフランジアセンブリを支持するように構成された１対のカラーコーナーシミュレータと、
を含む、カラーフランジアセンブリ溶接システム。
【０１４７】
Ｋ１．前記溶接治具の少なくとも１つは、前記第１および第２溶接治具の間の距離を測定するように構成されたレーザ測距ツールを含む、パラグラフＫに記載の溶接システム。
【０１４８】
Ｋ２．前記ハンドルは、前記筐体の高さに少なくとも略等しい直径を有する円形把持構造を含む、パラグラフＫまたはＫ１に記載の溶接システム。
【０１４９】
Ｋ３．各溶接治具の前記筐体は、昇降装置に連結するように構成された昇降用フランジを含む、パラグラフＫ〜Ｋ２のいずれかに記載の溶接システム。
【０１５０】
Ｋ４．各溶接治具の前記プレート構造および前記ハンドルは前記筐体の対向面に配置される、パラグラフＫ〜Ｋ３のいずれかに記載の溶接システム。
【０１５１】
Ｌ．第１溶接治具をトラックに沿って第２溶接治具から選択された距離に配置するステップと、
回転可能なプレート構造を前記第１溶接治具の水平アクスル機構の第１端に取り付けるステップと、
柱連結シミュレータを前記回転可能なプレート構造に配置するステップと、
梁端部構成要素を前記シミュレータに係合するステップと、
梁の一端が前記梁端部構成要素に隣接するように、梁を前記第１および第２溶接治具の間に支持させるステップと、
前記梁端部構成要素および梁を、前記第１および第２溶接治具の各々における前記水平アクスル機構の第２端に取り付けられたハンドルにより回転させるステップと、
前記梁端部構成要素を前記梁の端部に溶接するステップと、
を含む、梁端部構成要素を梁の端部に溶接する方法。
【０１５２】
Ｌ１．前記梁端部構成要素はカラーフランジアセンブリであり、前記柱連結シミュレータは１対のカラーコーナーシミュレータを含む、パラグラフＬに記載の方法。
【０１５３】
Ｌ２．前記１対のカラーコーナーシミュレータを配置するステップは、前記シミュレータにあるピンを前記プレート構造にある楕円形の穴に挿入することによって、各カラーコーナーシミュレータのＺ軸位置を設定することを含み、前記楕円形の穴は前記プレート構造の長軸に直交する長軸を有する、パラグラフＬ１に記載の方法。
【０１５４】
Ｌ３．前記１対のカラーコーナーシミュレータを配置するステップは、ボルトを前記シミュレータの丸穴から前記プレート構造にある第１のねじ穴に締結することによって、各カラーコーナーシミュレータのＸ軸位置を設定することを含む、パラグラフＬ２に記載の方法。
【０１５５】
Ｌ４．前記１対のカラーコーナーシミュレータを配置するステップは、ボルトを前記シミュレータの楕円形の穴から前記プレート構造にある第２のねじ穴に締結することによって、各カラーコーナーシミュレータのＹ軸位置を設定することを含み、前記シミュレータにある前記楕円形の穴は前記プレート構造の長軸と平行な長軸を有する、パラグラフＬ３に記載の方法。
【０１５６】
長所、特徴、および利点
本明細書に記載したカラーフランジアセンブリ溶接治具の様々な実施例は、カラーフランジアセンブリを梁に溶接するための公知の解決策より優れた幾つかの利点を提供する。例えば、本明細書に記載した例示的実施例は、溶接中に梁に対するカラーフランジアセンブリの正確な位置決めを可能にする。
【０１５７】
さらに、幾つかの利点の中でも特に、本明細書に記載した例示的実施例は、正確な配置を維持しながら、カラーフランジアセンブリおよび梁を回転して改善された溶接アクセスを可能にする。
【０１５８】
さらに、幾つかの利点の中でも特に、本明細書に記載した例示的実施例は、固定されていないカラーフランジアセンブリの偶発的な回転を防止するために余剰の安全ラッチを含む。
【０１５９】
さらに、幾つかの利点の中でも特に、本明細書に記載した例示的実施例は、様々なスタイルおよびサイズのカラーフランジアセンブリの製造用に再構成することを可能にする。
【０１６０】
さらに、幾つかの利点の中でも特に、本明細書に記載した例示的実施例は、安全な位置からの操作を可能にする回転ハンドルを含む。
【０１６１】
さらに、幾つかの利点の中でも特に、本明細書に記載した例示的実施例は、取り外し中に梁の鋏み込みによりシステム構成要素が損傷するリスクを低減する。
【０１６２】
さらに、幾つかの利点の中でも特に、本明細書に記載した例示的実施例は、熱収縮による長さの変動を考慮に入れる。
【０１６３】
公知のシステムまたは装置は、これらの機能を特にそのような安全性及び使用の容易性を持って実行することができない。したがって、本明細書に記載した例示的実施例は、フルモーメントカラーの大規模な精密な製造に特に有用である。しかしながら、本明細書に記載した全ての実施例が、必ずしも同一利点または同程度の利点をもたらすわけではない。
【０１６４】
結論
上述した本開示は、独立した有用性を持つ複数の明確な実施例を包含している。これらは各々、その好適な形態で開示されているが、本明細書に開示されかつ図示されたそれらの特定の実施形態は、多数の変形が可能であるため、限定的な意味で考慮されるべきではない。本開示内でセクション見出しが使用される場合、そのような見出しは単に編成を目的とするものである。開示の主題は、本明細書に開示された様々な要素、特徴、機能、および／または特性の全ての新規かつ非自明の組合せおよび部分的組合せを含む。以下の請求項は、新規かつ非自明とみなされる特定の組合せおよび部分組合せを特に指摘するものである。特徴、機能、要素、および／または特性の他の組合せおよび部分組合せは、本願または関連出願に対し優先権を主張する出願で請求されることがあり得る。そのような請求もまた、範囲が元の請求より広いか、狭いか、等しいか、あるいは異なるかに関わらず、本開示の主題の範囲に含まれるとみなされる。
【図１】
2021512795.tif 000003
【図２】
2021512795.tif 000004
【図３】
2021512795.tif 000005
【図４】
2021512795.tif 000006
【図５】
2021512795.tif 000007
【図６】
2021512795.tif 000008
【図７】
2021512795.tif 000009
【図８】
2021512795.tif 000010
【図９】
2021512795.tif 000011
【図１０】
2021512795.tif 000012
【図１１】
2021512795.tif 000013
【図１２】
2021512795.tif 000014
【国際調査報告】
2021512795.tif 000015
2021512795.tif 000016